(57)【要約】【課題】従来の用紙収納用アジャスタブルケースでは、本体と外ケースの案内溝が本体ケースの端部まで長手方向に直線状に形成されているので、使用者が用紙収納用アジャスタブルケースの長さを設定しようとケースを伸長した時力加減により外ケースが本体ケースから脱落したり、生産時のばらつき・長期の使用による磨耗により本体ケースと外ケースの嵌合が緩くなり不測の抜脱が起き収納物の落下による収納物汚損などの発生することを防止する。【解決手段】本発明は、両端が開口している筒状の本体ケースと、一端が開口され他端が閉塞された外ケースと、一端が開口され他端が閉塞されたケース蓋とで構成され、外ケースとケース蓋の閉塞端は長手方向両側に位置するように本体ケースに長手方向に摺動する案内溝にカギ型案内溝を形成し、一方向動作では外ケースは本体ケースから抜脱すことができないようにした。【選択図】図１
2006240711.tif 000002
【特許請求の範囲】
【請求項１】
両端が開口している筒状の本体ケースと、一端が開口され他端が閉塞された外ケースと、一端が開口され他端が閉塞されたケース蓋とで構成され、外ケースとケース蓋の閉塞端は長手方向両端に位置するように本体ケースの各案内溝に突起が嵌合し、長手方向に慴動自在な用紙等収納用アジャスタブルケースにおいて、外ケースが慴動する案内溝は本体ケースの案内溝端部より内側部にカギ型案内溝を形成し、本体ケースと外ケースを長手方向に伸長したとき、外ケースの突起が案内溝の係止位置に一端は止まり、外ケースは本体ケースから一方向動作のみでは拔脱することができないようにした用紙等収納用アジャスタブルケース。
【請求項２】
本体ケース１のケース蓋側開口部の用紙等の収納取出し口１０に１−２ヶ所の切り欠き１９を設け、ケースより短い用紙等が用紙等収納口１０の中に入り込んでも切り欠き部から用紙等を指で摘み取出し易くしたことを特徴とする請求項１記載の用紙等収納用アジャスタブルケース。
【発明の詳細な説明】
【技術分野】
【０００１】
本発明は、製図用紙その他の用紙等を収納する用紙等収納用アジャスタブルケースに関するものである。
【背景技術】
【０００２】
従来の製図用紙等を収納する用紙等収納用アジャスタブルケースは、図８及び図９に示すように本体１aの案内溝11aに外ケース２aの突起21aが嵌合し長手方向に伸縮自在に慴動する。
この種の従来の用紙等収納用アジャスタブルケースは本体ケースに設けられた案内溝11aが本体ケースの端部13aまで長手方向に直線状に形成されている。  
【０００３】
また、従来の用紙等収納用アジャスタブルケース蓋側開口部の用紙等の収納取出し口13aは円筒型であり、用紙等の収納物の端面が少しでも中に入り込むと指などで取出し難い構造である。
【発明の開示】
【発明が解決しようとする課題】
【０００４】
図８及び図９に示すように、従来の用紙等収納用アジャスタブルケースでは、本体ケースと外ケースの案内溝が本体ケースの端部まで長手方向に直線状に形成されているので、使用者が用紙等収納用アジャスタブルケースの長さを収納物に合わせ設定する時、ケースを長手方向に伸長すると外ケースが本体ケースから抜けてしまったり、生産時のばらつきや長期の使用による磨耗により本体ケースと外ケースの嵌号がゆるくなり携帯時に不測の拔脱が起き、その為に用紙等収納物が脱落し汚損などの原因となっていた。
【０００５】
また、従来の用紙等収納用アジャスタブルケースは、ケースより短い用紙等を収納した時、本体ケースの中に用紙等が入り込み、指で用紙等を摘めないので用紙等を取出し難いばかりか無理に用紙等を引き出し用紙等収納物を傷めることがあった。
【０００６】
本発明は、上記問題点に鑑み、用紙等収納用アジャスタブルケースの長さの設定時及び携帯時における不測の拔脱を防ぎ、かつ、本体ケースの中に入り込んだ用紙等でも容易に取り出せる用紙等収納用アジャスタブルケースを提供することにある。
【課題を解決するための手段】
【０００７】
本発明は、両端が開口している筒状の本体ケース１と、一端が開口され他端が閉塞された外ケース２と、一端が開口され他端が閉塞されたケース蓋３とで構成され、外ケース２とケース蓋３の閉塞端は長手方向両側に位置するように本体ケース１に案内溝11と突起31がそれぞれ嵌合し長手方向に摺動するように構成された用紙収納用アジャスタブルケースにおいて、外ケース２が摺動する案内溝11は案内溝端部17より内側部にカギ型案内溝14を形成し、本体ケース１と外ケース２を伸長したとき、外ケース２の突起21が案内溝の係止部16に一端は当たり、一方向動作のみでは外ケース２は本体ケース１から抜脱することができないようにした。
勿論、仮に抜脱するには、係止部１６で当たった後円周方向に回動させた後に長手方向に引けばよいのは理解される
【０００８】
かつ、本体ケース１のケース蓋側の用紙等収納取出し口10に１−２ヶ所の切り欠き19を設け、ケースより短い用紙等が用紙等収納取出し口10の中に入り込んでも用紙等を取出し易くしたことをと特徴とした用紙収納用アジャスタブルケースを提供する。
【発明の効果】
【０００９】
アジャスタブルケースの長さを収納物に合わせ設定する時、ケースを長手方向に伸長すると外ケースが本体ケースから抜けてしまったり、生産時のばらつきや長期の使用による磨耗により本体ケースと外ケースの嵌号がゆるくなり携帯時に不測の拔脱が起き、その為に用紙等収納物が脱落し汚損などの従来の問題点を解消できる。
【００１０】
また、従来の用紙等収納用アジャスタブルケースは、ケースより短い用紙等を収納した時、本体ケースの中に用紙等が入り込み、指で用紙等を摘めないので用紙等を取出し難いばかりか無理に用紙等を引き出し用紙等収納物を傷めることがあったこともなくすことが出来る。
【発明を実施するための最良の形態】
【００１１】
以下、本発明の実施例を図面に基づいて説明する。
図１−図８は本発明の一実施例を示す、図１はアジャスタブルケースの正面図で、両端が開口の筒状の本体ケース１と、一端が閉塞、他端が開口しているケース蓋３と、一端が閉塞され他端が開口している外ケース２とを備えている。外ケース２とケース蓋３は本体ケース１には、突起２１，３１が設けられており、長手方向に、本ケース１内の案内溝１１及び本体ケース１の案内溝１２内を、各突起２１、３１が摺動自在に嵌合されて組み合わされ、これによりケース蓋３は、取り外し自在、外ケース２は長手方向に伸縮自在となる。
即ち、本体ケース１は、ケース蓋３と外ケース２とを嵌合するものであって、その中間に空隙部分があり（図１、図２に示す本体ケースの両側にケース蓋３と外ケース２がある）、それぞれ本体ケース１には突起２１，３１が摺動する案内溝１１及び１２が設けられている。
【００１２】
又各案内溝１１，１２には、一以上の係止溝１３，１８が設けられている。これは、中に入れる図面等の大きさに応じて本ケース２を伸ばして収容長さを調節するためのものであり、案内溝に沿って動かし長手方向と直角の円周方向へ回転させることで適時係止することができる。
このように、外ケース２及びは適宜ケース蓋３は、案内溝１１、１２の適宜の係止溝内へ突起２１、３１を嵌入させておけば、収容される図面等の長さに対し調節できる。
【００１３】
案内溝１１を案内溝端部１７より内側部にL字状のカギ型案内溝１４を形成した用紙等収納用アジャスタブルケースであって、カギ型案内溝１４は、係止部１６を備えており、外ケース２の突起２１を案内溝に沿って動かしたときの該係止部１６に突起２１が当たる。そこで、抜脱が防げる。
勿論、抜脱する為には、係止部１６で当たった後円周方向に回動させた後に長手方向に引けばよいのは理解される。ここで、カギ型案内溝１４は、図１や図６、７では、上側でL字状になっているが、下側に設けてもよく、又は上下両側に設けてもよい（図示しない）。その場合には、カギ型案内溝１４は両側にあるので、抜脱は回転方向には制限されないので簡単となる
【００１４】
図２は図１のA-A断面矢視図である、本体ケース１のケース蓋側開口部の用紙収納取出し口に１−２ヶ所の切り欠き19を設ける。
【００１５】
図３は、図２のケース蓋３を取り外した本体ケース１の用紙等収納取出し口10を表した斜視図であり、２ヶ所の切り欠き部19の実施例を表す。
【００１６】
図４は、図３に於いて図面等の用紙等が本体ケース１の中に入り込んだ状態を表した斜視図であり、切り欠き部19より用紙等収納物を指で摘み易くなることを表す。
【００１７】
図５、図６は、図２の外ケース２を長手方向に伸長したとき、突起21が本体ケース１の係止位置16に当たりそれ以上抜脱しないことを表す。
【００１８】
図７は、上記状態より外ケース２を本体ケース１より抜脱したいとき、案内溝１１は、係止部１６が設けられているので、単に長手方向へ引っ張っても、該係止部１６によって係止されるが、抜脱するには、又外ケース２の突起21を案内溝カギ型部の係止部15に向けて周方向に回転させ、アジャスタブルケースの軸方向に引くことにより案内溝11の案内溝端部17から外ケース２が抜脱できることを表す図である。
【００１９】
本発明によれば、用紙等収納アジャスタブルケースを特別な留意がなくても、長さ調節時に不測なケースの抜脱を防ぎ、収納物の安全な保管収納ができる。
【００２０】
かつ、用紙等収納物がケース本体より短く、ケースの中に入り込んだ場合でも切り欠き19により用紙等の収納物を傷めずに容易に摘み出せる。
【００２１】
以上説明してきたように、本発明は上記実施例に限定されることなく、本発明の技術思想の範囲内で種々の変形が当業者によって可能である。
【図面の簡単な説明】
【００２２】
【図１】本発明の一実施例を示す正面図である
【図２】図１の実施例のA-A断面図である。
【図３】上記図２のケース蓋３を取り外した部分斜視図である。
【図４】図３にて用紙等が本体ケース１の中に入り込んだ状態の斜視図である。
【図５】図２の外ケース２を長手方向に伸長した図である。
【図６】図１の実施例の外ケース２を長手方向に伸長した図である。
【図７】同図の外ケースを軸方向に回転させた図である。
【図８】従来例を示す正面図である。
【図９】上記図８のZ-Z断面図である。
【符号の説明】
【００２３】
１  本体ケース
２  外ケース
３  ケース蓋
６  用紙等収納物
１０用紙等収納取り出し口
１１  案内溝
１２  案内溝
１４  カギ型案内溝
１６  係止部
１７  案内溝端部
１９  切り欠き
２１  突起（外ケース）
３１  突起（ケース蓋）
【図１】
2006240711.tif 000003
【図２】
2006240711.tif 000004
【図３】
2006240711.tif 000005
【図４】
2006240711.tif 000006
【図５】
2006240711.tif 000007
【図６】
2006240711.tif 000008
【図７】
2006240711.tif 000009
【図８】
2006240711.tif 000010
【図９】
2006240711.tif 000011